(57)【要約】      （修正有）【課題】聴覚障害者と健常者とが一枚のカードを通して円滑にコミュニケーションを行うことができる聴覚障害者用コミュニケーションカードを提供する。【解決手段】カード本体２に、聴覚障害者が健常者に自己の意思を伝えるべく指で指し示す、予め想定した複数の言葉３や事柄４と、健常者が聴覚障害者に自己の意思を伝えるべく指で指し示す、予め想定した複数の言葉５や事柄６とを同一の面に表示する。カード本体２に表示された言葉３、５や事柄４、６を交互に指で指し示すことを通して聴覚障害者と健常者との間において相互に意思の疎通を図ることができるようにする。また、展開及び折り畳み自在とし、折り畳んだ状態で携行し、使用時において展開し得るようにする。【選択図】図３
0003189253.tif 000002
【実用新案登録請求の範囲】
【請求項１】
聴覚障害者が健常者に自己の意思を伝えるべく指で指し示す、予め想定した複数の言葉や事柄と、健常者が聴覚障害者に自己の意思を伝えるべく指で指し示す、予め想定した複数の言葉や事柄とを薄い紙又は樹脂シートからなるカード本体の同一の面に表示し、カード本体に表示された言葉や事柄を交互に指で指し示すことを通して聴覚障害者と健常者との間において相互に意思の疎通を図ることができるようになす共に、展開及び折り畳み自在とし、折り畳んだ状態で携行し、使用時において展開し得るようになしたことを特徴とする聴覚障害者用コミニュケーションカード。
【請求項２】
カード本体が方形であり、折線を介して縦方向３行を基準とする所要複数行、横方向６列を基準とする所要複数列の表示区分を設け、縦方向３行を基準とする所要複数行の表示区分の折線は、横方向６列を基準とする所要複数列の表示区分の第１列と第２列間の折線を山折線、第２列と第３列間の折線を谷折線としてその後はこれの交互の繰り返しとし、横方向６列を基準とする所要複数列の表示区分の折線は、縦方向３行を基準とする所要複数行の表示区分における上段の第１行と中段の第２行間の折線を、横方向６列を基準とする所要複数列の表示区分の第１列において谷折線、第２列において山折線としてその後はこれの交互の繰り返しとし、中段の第２行と下段の第３行間の折線を、横方向６列を基準とする所要複数列の表示区分の第１列において山折線、第２列において谷折線としてその後はこれの交互の繰り返しとし、更に横方向６列を基準とする所要複数列の表示区分における第１列の最下段の表示区分と最終列の最上段の表示区分に、聴覚障害者の言葉を表示した厚手の紙又は樹脂シートからなる表紙を貼着し、前記折線の全てに折り癖をつけてなる請求項１記載の聴覚障害者用コミニュケーションカード。
【請求項３】
カード本体をケース状のカバー内に収納してなる請求項１又は２記載の聴覚障害者用コミニュケーションカード。
【考案の詳細な説明】
【技術分野】
【０００１】  本考案は、聴覚障害者と健常者とが一枚のカードを通して円滑にコミュニケーションを行うことができるようになした聴覚障害者用コミュニケーションカードに関するものである。
【背景技術】
【０００２】  聴覚障害者と健常者とがコミュニケーションを行う場合には、従来手話か筆談によって行うしかなかった。【０００３】  しかし、手話による場合には、健常者が手話に関する知識がなければならず、殆どの健常者はそのような知識がないから、特に緊急事態が発生した場合において聴覚障害者と健常者の双方が困ることになる。【０００４】  また、筆談による場合には、用紙と筆記具を必要とするが、一般的に健常者はこれらを常に持ち歩くことは少ないことから、この場合にも同様の問題が起こることになる。【０００５】  また、これらの他に、聴覚障害者と健常者とがコミュニケーションを行うことができるようにした装置も案出されているが、構造が複雑であり、高価であると共に嵩張って持ち歩きにくいという問題点がある。
【考案の概要】
【考案が解決しようとする課題】
【０００６】  本考案は上記の点に鑑みなされたものであって、健常者において手話に関する知識がなくても、また、用紙と筆記具が手元になくても、聴覚障害者と健常者とが一枚のカードを通して円滑にコミュニケーションを行うことができ、而も展開して使用するとき以外には折り畳んでコンパクトな状態で持ち歩くことができ、加えて安価にて提供することができる聴覚障害者用コミュニケーションカードを提供しようとするものである。
【課題を解決するための手段】
【０００７】  而して、本考案の要旨とするところは、聴覚障害者が健常者に自己の意思を伝えるべく指で指し示す、予め想定した複数の言葉や事柄と、健常者が聴覚障害者に自己の意思を伝えるべく指で指し示す、予め想定した複数の言葉や事柄とを薄い紙又は樹脂シートからなるカード本体の同一の面に表示し、カード本体に表示された言葉や事柄を交互に指で指し示すことを通して聴覚障害者と健常者との間において相互に意思の疎通を図ることができるようになす共に、展開及び折り畳み自在とし、折り畳んだ状態で携行し、使用時において展開し得るようになしたことを特徴とする聴覚障害者用コミニュケーションカードにある。【０００８】  また、上記構成において、カード本体が方形であり、折線を介して縦方向３行を基準とする所要複数行、横方向６列を基準とする所要複数列の表示区分を設け、縦方向３行を基準とする所要複数行の表示区分の折線は、横方向６列を基準とする所要複数列の表示区分の第１列と第２列間の折線を山折線、第２列と第３列間の折線を谷折線としてその後はこれの交互の繰り返しとし、横方向６列を基準とする所要複数列の表示区分の折線は、縦方向３行を基準とする所要複数行の表示区分における上段の第１行と中段の第２行間の折線を、横方向６列を基準とする所要複数列の表示区分の第１列において谷折線、第２列において山折線としてその後はこれの交互の繰り返しとし、中段の第２行と下段の第３行間の折線を、横方向６列を基準とする所要複数列の表示区分の第１列において山折線、第２列において谷折線としてその後はこれの交互の繰り返しとし、更に横方向６列を基準とする所要複数列の表示区分における第１列の最下段の表示区分と最終列の最上段の表示区分に、聴覚障害者の言葉を表示した厚手の紙又は樹脂シートからなる表紙を貼着し、前記折線の全てに折り癖をつけるようにしてもよい。【０００９】  また、上記構成において、カード本体をケース状のカバー内に収納するようにしてもよい。
【考案の効果】
【００１０】  本考案は上記の如き構成であり、聴覚障害者が健常者に自己の意思を伝えるべく指で指し示す、予め想定した複数の言葉や事柄と、健常者が聴覚障害者に自己の意思を伝えるべく指で指し示す、予め想定した複数の言葉や事柄とを薄い紙又は樹脂シートからなるカード本体の同一の面に表示し、カード本体に表示された言葉や事柄を交互に指で指し示すことを通して聴覚障害者と健常者との間において相互に意思の疎通を図ることができるようになす共に、展開及び折り畳み自在とし、折り畳んだ状態で携行し、使用時において展開し得るようになしたものであるから、健常者において手話に関する知識がなくても、また、用紙と筆記具が手元になくても、聴覚障害者と健常者とが一枚のカードを通して円滑にコミュニケーションを行うことができ、而も展開して使用するとき以外には折り畳んでコンパクトな状態で持ち歩くことができるものである。加えて低コストにての製作が可能であるから、安価にて提供することができるものである。【００１１】  また、カード本体を方形とし、折線を介して縦方向３行を基準とする所要複数行、横方向６列を基準とする所要複数列の表示区分を設け、縦方向３行を基準とする所要複数行の表示区分の折線は、横方向６列を基準とする所要複数列の表示区分の第１列と第２列間の折線を山折線、第２列と第３列間の折線を谷折線としてその後はこれの交互の繰り返しとし、横方向６列を基準とする所要複数列の表示区分の折線は、縦方向３行を基準とする所要複数行の表示区分における上段の第１行と中段の第２行間の折線を、横方向６列を基準とする所要複数列の表示区分の第１列において谷折線、第２列において山折線としてその後はこれの交互の繰り返しとし、中段の第２行と下段の第３行間の折線を、横方向６列を基準とする所要複数列の表示区分の第１列において山折線、第２列において谷折線としてその後はこれの交互の繰り返しとし、更に横方向６列を基準とする所要複数列の表示区分における第１列の最下段の表示区分と最終列の最上段の表示区分に、聴覚障害者の言葉を表示した厚手の紙又は樹脂シートからなる表紙を貼着し、前記折線の全てに折り癖をつけるようにした場合には、左右の手で夫々表側の表紙と裏側の表紙を掴み、そして表側の表紙を掴んだ手を上下、左右方向にずらすと共に、裏側の表紙を掴んだ手を展開の最後において左右方向に捻るといった簡単な操作によって、展開と折り畳みを極めてスピーディーに手際よく行うことができ、一層使い勝手がよくなるものである。【００１２】  また、カード本体をケース状のカバー内に収納するようにした場合には、カード本体が汗で汚れることがなく、加えて、カード本体が不用意に開くことがなく、携行し易くなるものである。
【図面の簡単な説明】
【００１３】
【図１】本考案の実施形態に係る聴覚障害者用コミニュケーションカードの畳んだ状態の表面図である。
【図２】同畳んだ状態の裏面図である。
【図３】同展開した状態の縮小表面図である。
【図４】同展開した状態の縮小裏面図である。
【図５】同展開し始めた状態の縮小表面図である。
【図６】同展開し始めた状態の縮小裏面図である。
【図７】同展開途中の状態の縮小表面図である。
【図８】同展開途中の状態の縮小裏面図である。
【図９】同カバーに収納した状態の表面図である。
【考案を実施するための形態】
【００１４】  以下、本考案を実施するための形態について、図面を参照して説明する。
【００１５】  図中、１は聴覚障害者用コミニュケーションカードである。２は該聴覚障害者用コミニュケーションカード１におけるカード本体である。また、該カード本体２は、方形をなし、本実施形態においては薄い紙からなっているが、樹脂シートでもよい。
【００１６】  また、該カード本体２は、聴覚障害者が健常者に自己の意思を伝えるべく指で指し示す、予め想定した複数の言葉３や事柄４と、健常者が聴覚障害者に自己の意思を伝えるべく指で指し示す、予め想定した複数の言葉５や事柄６とを同一の面に表示している。
【００１７】  また、該カード本体２は、本実施形態においては表裏両面を表示面として使用するようにしているが、どちらか一方の面のみを使用するようにしてもよい。
【００１８】  また、言葉３、５として日本語を用いているが、図示はしないが外国語を併記してもよく、また更には外国語のみでもよい。
【００１９】  而して、前記聴覚障害者用コミニュケーションカード１は、前記カード本体２に表示された言葉３、５や事柄４、６を交互に指で指し示すことを通して聴覚障害者と健常者との間において相互に意思の疎通を図ることができるようになしたものである。
【００２０】  そしてまた、前記聴覚障害者用コミニュケーションカード１は、展開及び折り畳み自在とし、折り畳んだ状態で携行し、使用時において展開し得るようになしている。
【００２１】  また、本実施形態は展開と折り畳みを極めてスピーディーに手際よく行うことができるようになしたものであり、これを更に具体的に説明すると、次の通りである。尚、図において点線は山折線を、１点鎖線は谷折線を示す。また、７、８、９は縦方向３行における各行を、また１０、１１、１２、１３、１４、１５は横方向６列における各列を示す。
【００２２】  前記方形のカード本体２に、折線を介して縦方向３行７、８、９、横方向６列１０、１１、１２、１３、１４、１５の表示区分を設け、縦方向３行７、８、９の表示区分の折線は、横方向６列の表示区分の第１列１０と第２列１１間の折線を山折線、第２列１１と第３列１２間の折線を谷折線としてその後はこれの交互の繰り返しとし、横方向６列１０、１１、１２、１３、１４、１５の表示区分の折線は、縦方向３行の表示区分における上段の第１行７と中段の第２行８間の折線を、横方向６列の表示区分の第１列１０において谷折線、第２列１１において山折線としてその後はこれの交互の繰り返しとし、中段の第２行８と下段の第３行９間の折線を、横方向６列の表示区分の第１列１０において山折線、第２列１１において谷折線としてその後はこれの交互の繰り返しとし、更に横方向６列の表示区分における第１列１０の最下段の表示区分と第６列１５の最上段の表示区分に、聴覚障害者の言葉３を表示した厚手の紙又は樹脂シートからなる表紙１６、１７を貼着し、前記折線の全てに折り癖をつけてなるものである。
【００２３】  斯かる場合における展開と折り畳みについて説明すると、展開するときには、先ず、図１の畳んだ状態において両手の夫々で、例えば右手で表側の表紙１６を、左手で裏側の表紙１７を掴む。尚、このときには右手と左手は夫々掌が向き合うようになる。そして、右手を先ず上方向にずらす。これにより図５及び図６に示すように展開される。次にこの右手を右方向にずらす。これにより図７及び図８に示すように展開される。また、この間左手は不動状態とし、そして上記の如くして右手を右方向にずらし終えたら最後に左方向（外方向）に捻るものである。これにより図３及び図４に示す全展開状態となるものである。また、この状態から折り畳んで閉じるときには、前記と逆の手順で行うものである。このように、表側の表紙１６と裏側の表紙１７を夫々手で掴み、その手をずらす或いは捻るといった簡単な操作によって展開と折り畳みを極めてスピーディーに手際よく行うことができるものである。
尚、本実施形態においては折線を介して縦方向３行、横方向６列の表示区分を設けているが、これは表示する言葉や事柄の増減に応じて適宜に変更してもよい。
【００２４】  また、本実施形態においては、展開した状態におけるカード本体２の表面側には、体調不良や天変地異、事件、事故等の発生により緊急に避難を要する場合に想定される言葉や事柄及び聴覚障害者本人に関する情報等を表示し、また裏面側には日常生活をする上で使用することを想定した言葉や事柄を表示している。
【００２５】  また、前記体調不良の場合に想定される言葉であって、聴覚障害者側の言葉３として、例えば、「たすけて」、「私は言葉で意思を伝えられません。ご協力ください。」、「からだのここの」、「このへんが」、「痛い」、「苦しい」、「しびれる」、「動かせない」、「がまんできる」、「すごくつらい」等であり、また健常者側の言葉５としては、例えば、「どうしましたか」、「痛いところをゆびさして」、「ここは」、「動かせますか」、「動かないで下さい」等である。
【００２６】  また、天変地異、事件、事故等の発生により緊急に避難を要する場合に想定される言葉であって、聴覚障害者側の言葉３としては、例えば、「避難する必要」、「何があったのか教えて下さい」等であり、また健常者側の言葉５としては、例えば、「はい」、「いいえ」、「つなみ」、「火事」、「地震」、「事故」、「ひったくりどろぼう」等である。
【００２７】  また、カード本体２の裏面側に表示される日常生活をする上で使用することを想定した言葉や事柄として、聴覚障害者側の言葉３としては、例えば、「言葉で意思を伝えられません」、「ありがとう」、「はい」、「いいえ」、「わかりません」等であり、また健常者側の言葉５としては、例えば、「手伝いますか」、「どうしましたか」、「指で示してください」等である。そしてまた、これらの他に、聴覚障害者と健常者が共通に使用するものである、組み合わせて用いる、５０音の平仮名文字と濁点、長音記号、１〜１０の数字、前後左右や大中小の各文字、長さや数量、重量、容量の単位記号、年月日の各文字、「トイレ」、「駅」、「バス停」、「どこですか」、「教えて」、「ください」、「手伝って」、「して下さい」、「案内」、「お願いします」、「します、「止めます」、「ほしい」、「いくらですか」、「行方不明」、「わかりました」、「書いて下さい」、「大丈夫です」等の言葉を表示している。
【００２８】  尚、上記カード本体２の表面側と裏面側に表示した言葉や事柄は一例であって、これ以外のものに変更してもよいことは勿論である。
【００２９】  而して、上記実施形態によれば、健常者において手話に関する知識がなくても、また、用紙と筆記具が手元になくても、聴覚障害者と健常者とが一枚のカードを通して円滑にコミュニケーションを行うことができ、而も展開して使用するとき以外には折り畳んでコンパクトな状態で持ち歩くことができるものである。加えて低コストにての製作が可能であるから、安価にて提供することができるものである。
【００３０】  また、表側の表紙１６と裏側の表紙１７を夫々手で掴み、その手をずらす或いは捻るといった簡単な操作によって展開と折り畳みを極めてスピーディーに手際よく行うことができるものである。
【００３１】  また、図９に示す如く、カード本体２をケース状のカバー１８内に収納するようにした場合には、カード本体２が汗で汚れることがなく、また、カード本体２が不用意に開くことがなく、携行し易くなるものである。
【符号の説明】
【００３２】１  聴覚障害者用コミニュケーションカード
２  カード本体
３  聴覚障害者用の言葉
４  聴覚障害者用の事柄
５  健常者用の言葉
６  健常者用の事柄
７、８、９  縦方向３行の表示区分
１０、１１、１２、１３、１４、１５  横方向６列の表示区分
１６、１７  表紙
１８  ケース状のカバー
【図１】
0003189253.tif 000003
【図２】
0003189253.tif 000004
【図３】
0003189253.tif 000005
【図４】
0003189253.tif 000006
【図５】
0003189253.tif 000007
【図６】
0003189253.tif 000008
【図７】
0003189253.tif 000009
【図８】
0003189253.tif 000010
【図９】
0003189253.tif 000011
【手続補正書】
【提出日】平成25年12月12日(2013.12.12)
【手続補正１】
【補正対象書類名】実用新案登録請求の範囲
【補正対象項目名】全文
【補正方法】変更
【補正の内容】
【実用新案登録請求の範囲】
【請求項１】
聴覚障害者が健常者に自己の意思を伝えるべく指で指し示す、予め想定した複数の言葉や事柄と、健常者が聴覚障害者に自己の意思を伝えるべく指で指し示す、予め想定した複数の言葉や事柄とを薄い紙又は樹脂シートからなるカード本体の同一の面に表示し、カード本体に表示された言葉や事柄を交互に指で指し示すことを通して聴覚障害者と健常者との間において相互に意思の疎通を図ることができるようになすと共に、展開及び折り畳み自在とし、折り畳んだ状態で携行し、使用時において展開し得るようになした聴覚障害者用コミニュケーションカードであって、前記カード本体が方形であり、折線を介して縦方向３行を基準とする所要複数行、横方向６列を基準とする所要複数列の表示区分を設け、縦方向３行を基準とする所要複数行の表示区分の折線は、横方向６列を基準とする所要複数列の表示区分の第１列と第２列間の折線を山折線、第２列と第３列間の折線を谷折線としてその後はこれの交互の繰り返しとし、横方向６列を基準とする所要複数列の表示区分の折線は、縦方向３行を基準とする所要複数行の表示区分における上段の第１行と中段の第２行間の折線を、横方向６列を基準とする所要複数列の表示区分の第１列において谷折線、第２列において山折線としてその後はこれの交互の繰り返しとし、中段の第２行と下段の第３行間の折線を、横方向６列を基準とする所要複数列の表示区分の第１列において山折線、第２列において谷折線としてその後はこれの交互の繰り返しとし、更に横方向６列を基準とする所要複数列の表示区分における第１列の最下段の表示区分と最終列の最上段の表示区分に、聴覚障害者の言葉を表示した厚手の紙又は樹脂シートからなる表紙を貼着し、前記折線の全てに折り癖をつけてなることを特徴とする聴覚障害者用コミニュケーションカード。
【請求項２】
カード本体をケース状のカバー内に収納してなる請求項１記載の聴覚障害者用コミニュケーションカード。
【手続補正２】
【補正対象書類名】図面
【補正対象項目名】図４
【補正方法】変更
【補正の内容】
【図４】
0003189253.tif 000012
【手続補正３】
【補正対象書類名】図面
【補正対象項目名】図８
【補正方法】変更
【補正の内容】
【図８】
0003189253.tif 000013